(57)【要約】【課題】所定の計測地点を通過した移動体の数をカメラによって撮像された画像に基づいて計測する場合において計測精度をさらに向上させる技術を提供する。【解決手段】複数の撮像装置２０それぞれによって撮像された映像を映像群として取得する映像取得部１１１と、映像群それぞれに設定された基準線を通過した所定の移動体の数を各通過数として計測する計測部１１６と、各通過数を合算する合算部１１７と、を備える、映像解析装置１０が提供される。【選択図】図１
2014191711.tif 000002
【特許請求の範囲】
【請求項１】
複数の撮像装置それぞれによって撮像された映像を映像群として取得する映像取得部と、
前記映像群それぞれに設定された基準線を通過した所定の移動体の数を各通過数として計測する計測部と、
前記各通過数を合算する合算部と、
を備える、映像解析装置。
【請求項２】
前記映像解析装置は、
前記映像群それぞれの基準線を設定する設定部をさらに備える、
請求項１に記載の映像解析装置。
【請求項３】
前記設定部は、所定のオブジェクトが認識された映像が存在した場合、前記映像における前記所定のオブジェクトの位置に基づいて、前記映像に基準線を設定する、
請求項２に記載の映像解析装置。
【請求項４】
前記設定部は、ユーザによって所望の位置が指定された映像が存在した場合、前記映像における前記所望の位置に基づいて、前記映像に基準線を設定する、
請求項２に記載の映像解析装置。
【請求項５】
前記複数の撮像装置は一列に並べられて設置されており、隣り合う撮像装置間において映像に設定される基準線が連続する、
請求項１に記載の画像解析装置。
【請求項６】
前記複数の撮像装置は一列に並べられて設置されており、隣り合う撮像装置間において映像に設定される基準線が重複部分を有さない、
請求項１に記載の画像解析装置。
【請求項７】
前記映像解析装置は、
前記移動体が認識された映像が存在した場合、前記映像における前記移動体の位置を追跡して追跡結果を得る追跡部をさらに備え、
前記計測部は、前記追跡結果に基づいて前記移動体が前記映像の基準線を通過したか否かを判定する、
請求項１に記載の画像解析装置。
【請求項８】
前記計測部は、前記追跡結果に基づいて前記移動体の移動方向を判定して前記移動方向が所定方向の場合における各通過数を計測し、
前記合算部は、前記移動方向が前記所定方向の場合における前記各通過数を合算する、
請求項７に記載の画像解析装置。
【請求項９】
前記計測部は、前記追跡結果に基づいて前記移動体の移動方向を判定して前記移動方向ごとに前記各通過数を計測し、
前記合算部は、前記移動方向ごとに前記各通過数を合算する、
請求項７に記載の画像解析装置。
【請求項１０】
前記計測部は、前記移動体が前記映像の基準線を通過したと判定した場合、前記移動体の前記映像におけるサイズに基づいて前記移動体を計測対象とすべきか否かを判定する、
請求項７に記載の画像解析装置。
【請求項１１】
前記画像解析装置は、
前記移動体が認識された映像が存在した場合、前記映像を解析して前記移動体の属性を抽出する属性抽出部をさらに備え、
前記計測部は、前記属性ごとに前記各通過数を計測し、
前記合算部は、前記属性ごとに前記各通過数を合算する、
請求項１に記載の画像解析装置。
【請求項１２】
前記画像解析装置は、
前記映像群それぞれに対して物体認識を行う認識部をさらに備える、
請求項１に記載の画像解析装置。
【請求項１３】
前記移動体は、人物または乗り物である、
請求項１に記載の画像解析装置。
【請求項１４】
複数の撮像装置それぞれによって撮像された映像を映像群として取得するステップと、
前記映像群それぞれに設定された基準線を通過した所定の移動体の数を各通過数として計測するステップと、
前記各通過数を合算するステップと、
を含む、映像解析方法。
【請求項１５】
コンピュータを、
複数の撮像装置それぞれによって撮像された映像を映像群として取得する映像取得部と、
前記映像群それぞれに設定された基準線を通過した所定の移動体の数を各通過数として計測する計測部と、
前記各通過数を合算する合算部と、
を備える、映像解析装置として機能させるためのプログラム。
【請求項１６】
複数の撮像装置と映像解析装置とを有する映像解析システムであって、
前記映像解析装置は、
前記複数の撮像装置それぞれによって撮像された映像を映像群として取得する映像取得部と、
前記映像群それぞれに設定された基準線を通過した所定の移動体の数を各通過数として計測する計測部と、
前記各通過数を合算する合算部と、
を備える、画像解析システム。
【発明の詳細な説明】
【技術分野】
【０００１】
本発明は、映像解析装置、映像解析方法、プログラムおよび映像解析システムに関するものである。
【背景技術】
【０００２】
近年、所定の計測地点を通過する移動体の数を計測する技術が開発されている。移動体には、人物や乗り物をはじめとして、様々なものが想定される。このような計測技術としては、カメラによって撮像された画像に基づいて、所定の計測地点を通過した移動体の数を計測する技術が用いられ得る。
【０００３】
例えば、平行に並べられた複数のカメラそれぞれによって計測エリアを撮像し、複数のカメラそれぞれによって撮像された画像に基づいて、計測エリアにあらかじめ設けられた所定の判定ラインを通過する人物の数を計測する技術が開示されている（例えば、特許文献１参照）。
【０００４】
かかる技術によれば、１つのカメラによって撮像された画像においては手前に映っている人物に重なってしまっている人物であっても、複数のカメラの視差を利用して、所定の計測地点を通過した人物として検出することが可能である。そのため、所定の計測地点を通過した人物を検出し損なう可能性を低減することが可能である。
【先行技術文献】
【特許文献】
【０００５】
【特許文献１】特開平１０−４９７１８号公報
【発明の概要】
【発明が解決しようとする課題】
【０００６】
ここで、画像から移動体を検出するためには、画像に映る移動体の鮮明度をある程度確保する必要があるため、撮像範囲を制限するのが一般的である。しかし、計測地点を撮像範囲に収めるためには、計測地点からある程度離れた位置にカメラを設置する必要がある。一方、計測地点からカメラが離れすぎてしまうと画像に映る移動体が小さくなってしまい、画像から移動体を検出するのが困難になる可能性もある。
【０００７】
そこで、本発明は、上記問題に鑑みてなされたものであり、本発明の目的とするところは、所定の計測地点を通過した移動体の数をカメラによって撮像された画像に基づいて計測する場合において計測精度をさらに向上させる技術を提供することにある。
【課題を解決するための手段】
【０００８】
上記問題を解決するために、本発明のある観点によれば、複数の撮像装置それぞれによって撮像された映像を映像群として取得する映像取得部と、前記映像群それぞれに設定された基準線を通過した所定の移動体の数を各通過数として計測する計測部と、前記各通過数を合算する合算部と、を備える、映像解析装置が提供される。
【０００９】
前記映像解析装置は、前記映像群それぞれの基準線を設定する設定部をさらに備えてもよい。
【００１０】
前記設定部は、所定のオブジェクトが認識された映像が存在した場合、前記映像における前記所定のオブジェクトの位置に基づいて、前記映像に基準線を設定してもよい。
【００１１】
前記設定部は、ユーザによって所望の位置が指定された映像が存在した場合、前記映像における前記所望の位置に基づいて、前記映像に基準線を設定してもよい。
【００１２】
前記複数の撮像装置は一列に並べられて設置されており、隣り合う撮像装置間において映像に設定される基準線が連続してもよい。
【００１３】
前記複数の撮像装置は一列に並べられて設置されており、隣り合う撮像装置間において映像に設定される基準線が重複部分を有さなくてもよい。
【００１４】
前記映像解析装置は、前記移動体が認識された映像が存在した場合、前記映像における前記移動体の位置を追跡して追跡結果を得る追跡部をさらに備え、前記計測部は、前記追跡結果に基づいて前記移動体が前記映像の基準線を通過したか否かを判定してもよい。
【００１５】
前記計測部は、前記追跡結果に基づいて前記移動体の移動方向を判定して前記移動方向が所定方向の場合における各通過数を計測し、前記合算部は、前記移動方向が前記所定方向の場合における前記各通過数を合算してもよい。
【００１６】
前記計測部は、前記追跡結果に基づいて前記移動体の移動方向を判定して前記移動方向ごとに前記各通過数を計測し、前記合算部は、前記移動方向ごとに前記各通過数を合算してもよい。
【００１７】
前記計測部は、前記移動体が前記映像の基準線を通過したと判定した場合、前記移動体の前記映像におけるサイズに基づいて前記移動体を計測対象とすべきか否かを判定してもよい。
【００１８】
前記画像解析装置は、前記移動体が認識された映像が存在した場合、前記映像を解析して前記移動体の属性を抽出する属性抽出部をさらに備え、前記計測部は、前記属性ごとに前記各通過数を計測し、前記合算部は、前記属性ごとに前記各通過数を合算してもよい。
【００１９】
前記画像解析装置は、
前記映像群それぞれに対して物体認識を行う認識部をさらに備えてもよい。
【００２０】
前記移動体は、人物または乗り物であってもよい。
【００２１】
また、本発明のある観点によれば、複数の撮像装置それぞれによって撮像された映像を映像群として取得するステップと、前記映像群それぞれに設定された基準線を通過した所定の移動体の数を各通過数として計測するステップと、前記各通過数を合算するステップと、を含む、映像解析方法が提供される。
【００２２】
また、本発明のある観点によれば、コンピュータを、複数の撮像装置それぞれによって撮像された映像を映像群として取得する映像取得部と、前記映像群それぞれに設定された基準線を通過した所定の移動体の数を各通過数として計測する計測部と、前記各通過数を合算する合算部と、を備える、映像解析装置として機能させるためのプログラムが提供される。
【００２３】
また、本発明のある観点によれば、複数の撮像装置と映像解析装置とを有する映像解析システムであって、前記映像解析装置は、前記複数の撮像装置それぞれによって撮像された映像を映像群として取得する映像取得部と、前記映像群それぞれに設定された基準線を通過した所定の移動体の数を各通過数として計測する計測部と、前記各通過数を合算する合算部と、を備える、画像解析システムが提供される。
【発明の効果】
【００２４】
以上説明したように本発明によれば、所定の計測地点を通過した移動体の数をカメラによって撮像された画像に基づいて計測する場合において計測精度をさらに向上させることが可能である。
【図面の簡単な説明】
【００２５】
【図１】本発明の実施形態に係る映像解析システムの構成例を示す図である。
【図２】本発明の実施形態に係る撮像装置の設置例を示す図である。
【図３】本発明の実施形態に係る映像解析装置の機能構成例を示す図である。
【図４】本発明の実施形態に係る端末装置の機能構成例を示す図である。
【図５】複数の撮像装置それぞれによって撮像された映像に基準線を設定する第１の例を示す図である。
【図６】複数の撮像装置それぞれによって撮像された映像に基準線を設定する第２の例を示す図である。
【図７】複数の撮像装置それぞれによって撮像された映像に設定された基準線の通過人数を計測する手法の第１の例を示す図である。
【図８】複数の撮像装置それぞれによって撮像された映像に設定された基準線の通過人数を計測する手法の第２の例を示す図である。
【図９】複数の撮像装置それぞれによって撮像された映像に設定された基準線の通過人数を計測する手法の第３の例を示す図である。
【図１０】複数の撮像装置それぞれによって撮像された映像に設定された基準線の通過人数を計測する手法の第４の例を示す図である。
【図１１】複数の撮像装置それぞれによって撮像された映像に設定された基準線の通過人数を計測する手法の第５の例を示す図である。
【図１２】本発明の実施形態に係る映像解析装置の動作の流れの例を示すフローチャートである。
【図１３】本発明の実施形態の変形例に係る映像解析システムの構成例を示す図である。
【発明を実施するための形態】
【００２６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２７】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２８】
［構成の説明］
まず、本発明の実施形態に係る映像解析システム１の構成例について説明する。図１は、本発明の実施形態に係る映像解析システム１の構成例を示す図である。図１に示すように、映像解析システム１は、映像解析装置１０と、複数の撮像装置２０とを備える。また、図１に示すように、映像解析システム１は、端末装置３０を備えてもよい。本実施形態においては、映像解析システム１が２台の撮像装置２０（撮像装置２０Ａおよび撮像装置２０Ｂ）を備える例を説明するが、撮像装置２０の台数は複数であればよい。
【００２９】
本実施形態においては、建物の出入り口の両サイドに存在する壁Ｗ１および壁Ｗ２の間を計測地点とし、この計測地点を通過する人物の数（以下、単に「通過人数」とも言う。）を計測する場合を説明する。ここで、計測地点はどこであってもよい。例えば、計測地点は、エスカレータであってもよいし、階段であってもよいし、駅のコンコースであってもよいし、他の場所であってもよい。また、計測対象は人物に限られない。例えば、計測対象は移動体であればよい。人物は、移動体の一例であり、移動体の他の例としては、乗り物（例えば、自動車など）などが挙げられる。
【００３０】
本実施形態においては、このように設定されている計測地点を複数の撮像装置２０によって分担して撮像する。例えば、図１に示すように、壁Ｗ２と扉Ｄとの間のエリアを撮像装置２０Ａが撮像し、壁Ｗ１と扉Ｄとの間のエリアを撮像装置２０Ｂが撮像すればよい。しかし、計測地点を仕切る物体（図１に示した例では、扉Ｄ）は存在しなくてもよい。また、図１に示すように、撮像装置２０Ａの撮像範囲と撮像装置２０Ｂの撮像範囲との間には重複する範囲が存在してよい。
【００３１】
また、本実施形態においては、建物の内部から外部に向かう方向が撮像装置２０の撮像方向となるように撮像装置２０が設置される例について説明する。しかし、撮像装置２０の撮像方向は、特に限定されない。したがって、建物の外部から内部に向かう方向が撮像装置２０の撮像方向となるように撮像装置２０が設置されてもよい。また、計測地点に関わらず、撮像装置２０の撮像方向は限定されないことは言うまでもない。
【００３２】
以上、本発明の実施形態に係る映像解析システム１の構成例について説明した。
【００３３】
続いて、撮像装置２０の設置例について説明する。図２は、本発明の実施形態に係る撮像装置２０の設置例を示す図である。図２に示した例では、建物の内部から外部に向かう方向が撮像装置２０の撮像方向となるように撮像装置２０が設置されている。そのため、撮像装置２０は、出入り口から建物の内部に入場する人物Ｈの顔を撮像することが可能である。
【００３４】
一方、建物の外部から内部に向かう方向が撮像装置２０の撮像方向となるように撮像装置２０が設置されている場合には、撮像装置２０は、出入り口から建物の外部に退場する人物Ｈの顔を撮像することが可能である。また、撮像方向に関わらず、撮像装置２０は、建物の内部から外部に退場する人物と建物の外部から内部に入場する人物との双方の人物の身体を撮像することが可能である。
【００３５】
ここで、撮像装置２０の種類は特に限定されない。例えば、図２に示したように、撮像装置２０は、天井に設置される監視カメラであってもよい。その場合には、図２に示したように、撮像装置２０の撮像方向は、斜め下方向となり、出入り口を通過する人物を斜め上方から撮像した映像を取得し得る。また、例えば、撮像装置２０は、単眼カメラであってもよいし、複眼カメラであってもよい。また、撮像装置２０は、モノクロカメラであってもよいし、カラーカメラであってもよい。
【００３６】
以上、本発明の実施形態に係る撮像装置２０の設置例について説明した。
【００３７】
続いて、本発明の実施形態に係る映像解析装置１０の機能構成例を示す図である。図３は、本発明の実施形態に係る映像解析装置１０の機能構成例を示す図である。図３に示すように、本発明の実施形態に係る映像解析装置１０は、制御部１１０、入力部１２０、記憶部１３０および通信部１４０を備える。
【００３８】
制御部１１０は、映像解析装置１０の動作全体を制御する機能を有する。入力部１２０は、撮像装置２０によって撮像された映像の入力を受け付けて制御部１１０に提供する機能を有する。図３に示した例では、入力部１２０Ａは、撮像装置２０Ａによって撮像された映像の入力を受け付けて制御部１１０に提供し、入力部１２０Ｂは、撮像装置２０Ｂによって撮像された映像の入力を受け付けて制御部１１０に提供する。記憶部１３０は、制御部１１０を動作させるためのプログラムやデータを記憶することができる。また、記憶部１３０は、制御部１１０の動作の過程で必要となる各種データを一時的に記憶することもできる。通信部１４０は、制御部１１０による制御に従って端末装置３０と通信を行う機能を有する。
【００３９】
なお、図３に示した例では、入力部１２０、記憶部１３０および通信部１４０は、映像解析装置１０の内部に存在するが、入力部１２０、記憶部１３０および通信部１４０の全部または一部は、映像解析装置１０の外部に備えられていてもよい。また、制御部１１０は、映像取得部１１１と、認識部１１２と、設定部１１３と、追跡部１１４と、属性抽出部１１５と、計測部１１６と、合算部１１７とを備える。制御部１１０が備えるこれらの各機能部の詳細については、後に説明する。
【００４０】
以上、本発明の実施形態に係る映像解析装置１０の機能構成例について説明した。
【００４１】
続いて、本発明の実施形態に係る端末装置３０の機能構成例を示す図である。図４は、本発明の実施形態に係る端末装置３０の機能構成例を示す図である。図４に示すように、本発明の実施形態に係る端末装置３０は、制御部３１０、入力部３２０、通信部３３０、記憶部３４０および出力部３５０を備える。
【００４２】
制御部１１０は、端末装置３０の動作全体を制御する機能を有する。入力部３２０は、ユーザからの操作の入力を受け付けて制御部３１０に提供する機能を有する。通信部３３０は、制御部３１０による制御に従って映像解析装置１０と通信を行う機能を有する。記憶部３４０は、制御部３１０を動作させるためのプログラムやデータを記憶することができる。また、記憶部３４０は、制御部３１０の動作の過程で必要となる各種データを一時的に記憶することもできる。出力部３５０は、制御部３１０による制御に従って各種情報を出力する機能を有する。
【００４３】
なお、図４に示した例では、入力部３２０、通信部３３０、記憶部３４０および出力部３５０は、端末装置３０の内部に存在するが、入力部３２０、通信部３３０、記憶部３４０および出力部３５０の全部または一部は、端末装置３０の外部に備えられていてもよい。
【００４４】
以上、本発明の実施形態に係る端末装置３０の機能構成例について説明した。
【００４５】
ここで、本発明の実施形態においては、撮像装置２０Ａおよび撮像装置２０Ｂそれぞれによって撮像された映像に基準線が設定される。基準線の設定次第では、基準線を通過した人物を複数の映像間で重複して検出してしまう可能性がある。このような可能性を低減するため、隣り合う撮像装置２０間において映像に設定される基準線は、重複部分を有していない方がよい。
【００４６】
さらに、基準線の設定次第では、何れの基準線も通過せずに基準線の反対側に移動することを許容してしまう可能性がある。このような可能性を低減するため、隣り合う撮像装置２０間において映像に設定される基準線は、連続していた方がよい。このような基準線の設定を考慮し、以下では、基準線の設定の手法の例として、第１の例と第２の例とを説明する。
【００４７】
まず、撮像装置２０Ａおよび撮像装置２０Ｂそれぞれによって撮像された映像に基準線を設定する第１の例について説明する。図５は、撮像装置２０Ａおよび撮像装置２０Ｂそれぞれによって撮像された映像に基準線を設定する第１の例を示す図である。図５に示したように、撮像装置２０Ａによって撮像された映像ＩｍＡには、壁Ｗ１と扉Ｄとが映っており、撮像装置２０Ｂによって撮像された映像ＩｍＢには、扉Ｄと壁Ｗ２とが映っている。
【００４８】
まず、ユーザは、撮像装置２０Ａおよび撮像装置２０Ｂそれぞれの撮像範囲に収まる位置にマーカＭを設置する。撮像装置２０Ａおよび撮像装置２０Ｂそれぞれによって撮像範囲の撮像がなされ、映像取得部１１１によって映像ＩｍＡおよび映像ＩｍＢが取得されると、認識部１１２により映像ＩｍＡおよび映像ＩｍＢそれぞれからマーカＭが認識される。設定部１１３は、マーカＭの認識結果に基づいて基準線ＬｎＡおよび基準線ＬｎＢを設定する。
【００４９】
例えば、設定部１１３は、映像ＩｍＡにおけるマーカＭの位置に基づいて、基準線ＬｎＡを設定し、映像ＩｍＢにおけるマーカＭの位置に基づいて、基準線ＬｎＢを設定する。例えば、図５に示すように、設定部１１３は、映像ＩｍＡおよび映像ＩｍＢそれぞれにおけるマーカＭの位置を始点とし、隣り合う撮像装置２０とは反対の方向に伸ばした線分を基準線ＬｎＡおよび基準線ＬｎＢとして設定してよい。
【００５０】
なお、マーカＭは、映像解析装置１０のために用意された人工マーカであってもよいし、自然に存在する自然マーカであってもよい。したがって、マーカＭは、認識部１１２によって認識可能な何らかのオブジェクトであればよい。図５に示したように、基準線ＬｎＡおよび基準線ＬｎＢそれぞれは、映像ＩｍＡおよび映像ＩｍＢそれぞれの水平方向に伸びているとよい。そうすれば、基準線ＬｎＡおよび基準線ＬｎＢを人物が通過したか否かを判定するための処理がより低減されることが予想される。
【００５１】
また、映像ＩｍＡおよび映像ＩｍＢそれぞれに複数のマーカＭが映るようにユーザによって複数のマーカが設置されてもよい。かかる場合には、設定部１１３は、映像ＩｍＡおよび映像ＩｍＢそれぞれにおいて、複数のマーカＭの間を結ぶ線分を、基準線ＬｎＡおよび基準線ＬｎＢとして設定してもよい。しかし、複数のマーカＭを結ぶ線分の方向は、映像ＩｍＡおよび映像ＩｍＢそれぞれにおいて水平方向となるようにユーザによって設置されるとよい。
【００５２】
さらに、図５には、映像ＩｍＡおよび映像ＩｍＢそれぞれの撮像範囲に収まる位置に共通のマーカＭをユーザが設置した例が示されている。このようにして、映像ＩｍＡおよび映像ＩｍＢそれぞれの撮像範囲に共通のマーカＭを設置すれば、基準線ＬｎＡおよび基準線ＬｎＢの連続性を担保することが可能となる。しかし、映像ＩｍＡおよび映像ＩｍＢそれぞれの撮像範囲に収まる位置に設置されるマーカＭは、必ずしも共通のマーカＭではなくてもよく、異なるマーカＭであってもよい。
【００５３】
続いて、撮像装置２０Ａおよび撮像装置２０Ｂそれぞれによって撮像された映像に基準線を設定する第２の例について説明する。図６は、撮像装置２０Ａおよび撮像装置２０Ｂそれぞれによって撮像された映像に基準線を設定する第２の例を示す図である。図６に示したように、撮像装置２０Ａによって撮像された映像ＩｍＡには、壁Ｗ１と扉Ｄとが映っており、撮像装置２０Ｂによって撮像された映像ＩｍＢには、扉Ｄと壁Ｗ２とが映っている。
【００５４】
まず、ユーザは、映像解析装置１０から端末装置３０に映像ＩｍＡが提供されると、端末装置３０の出力部３５０によって表示された映像ＩｍＡを閲覧しながら、ポインタＮ１の位置を決定する操作を入力部３２０に対して入力する。制御部３１０は、通信部３３０を介して当該操作を映像解析装置１０に提供する。映像解析装置１０の設定部１１３は、通信部１４０を介して当該操作を取得すると、当該操作によって決定される映像ＩｍＡにおけるポインタＮ１の位置に基づいて、基準線ＬｎＡを設定する。
【００５５】
同様に、ユーザは、映像解析装置１０から端末装置３０に映像ＩｍＢが提供されると、端末装置３０の出力部３５０によって表示された映像ＩｍＢを閲覧しながら、ポインタＮ２の位置を決定する操作を入力部３２０に対して入力する。制御部３１０は、通信部３３０を介して当該操作を映像解析装置１０に提供する。映像解析装置１０の設定部１１３は、通信部１４０を介して当該操作を取得すると、当該操作によって決定される映像ＩｍＢにおけるポインタＮ２の位置に基づいて、基準線ＬｎＢを設定する。
【００５６】
例えば、図６に示すように、設定部１１３は、映像ＩｍＡにおけるポインタＮ１の位置を始点とし、隣り合う撮像装置２０とは反対の方向に伸ばした線分を基準線ＬｎＡとして設定してよい。同様に、設定部１１３は、映像ＩｍＢにおけるポインタＮ２の位置を始点とし、隣り合う撮像装置２０とは反対の方向に伸ばした線分を基準線ＬｎＢとして設定してよい。
【００５７】
図６に示したように、基準線ＬｎＡおよび基準線ＬｎＢそれぞれは、映像ＩｍＡおよび映像ＩｍＢそれぞれの水平方向に伸びているとよい。そうすれば、基準線ＬｎＡおよび基準線ＬｎＢを人物が通過したか否かを判定するための処理がより低減されることが予想される。
【００５８】
また、映像ＩｍＡおよび映像ＩｍＢそれぞれにおいて複数の位置が指定されてもよい。かかる場合には、設定部１１３は、映像ＩｍＡおよび映像ＩｍＢそれぞれにおいて、複数の指定位置の間を結ぶ線分を、基準線ＬｎＡおよび基準線ＬｎＢとして設定してもよい。しかし、複数の指定位置を結ぶ線分の方向は、映像ＩｍＡおよび映像ＩｍＢそれぞれにおいて水平方向をなすようにユーザによって指定されるとよい。
【００５９】
さらに、図６には、映像ＩｍＡおよび映像ＩｍＢそれぞれに映る実空間において同一の位置をユーザが指定した例が示されている。このようにして、映像ＩｍＡおよび映像ＩｍＢそれぞれに映る実空間の同一の位置をユーザが指定すれば、基準線ＬｎＡおよび基準線ＬｎＢの連続性を担保することが可能となる。しかし、映像ＩｍＡおよび映像ＩｍＢそれぞれに映る実空間においてユーザによって指定される位置は、必ずしも同一ではなくてもよい。
【００６０】
以上、撮像装置２０Ａおよび撮像装置２０Ｂそれぞれによって撮像された映像に基準線を設定する第１の例および第２の例について説明した。
【００６１】
続いて、複数の撮像装置２０それぞれによって撮像された映像に設定された基準線の通過人数を計測する手法の例を説明する。以下では、複数の撮像装置２０それぞれによって撮像された映像に設定された基準線の通過人数を計測する手法の例として、第１の例から第５の例までを順次に説明する。なお、第１の例から第５の例までは、何れか１つが単独で用いられてもよいし、何れか２つ以上が組み合わされて用いられてもよい。
【００６２】
図７は、撮像装置２０Ａおよび撮像装置２０Ｂそれぞれによって撮像された映像に設定された基準線の通過人数を計測する手法の第１の例を示す図である。図７に示すように、撮像装置２０Ａによって撮像された映像ＩｍＡには、基準線ＬｎＡが設定されており、撮像装置２０Ｂによって撮像された映像ＩｍＢには、基準線ＬｎＢが設定されている。その後、映像取得部１１１によって、映像ＩｍＡおよび映像ＩｍＢそれぞれが継続して取得される。
【００６３】
認識部１１２は、映像ＩｍＡおよび映像ＩｍＢそれぞれに人物が映った場合、その人物を認識することが可能である。例えば、図５に示したように、人物Ｈ１が映像ＩｍＡに映った場合、認識部１１２は、映像ＩｍＡにおいて人物Ｈ１が映っている領域を、認識領域Ｚ１として認識する。同様に、認識部１１２は、人物Ｈ２が映像ＩｍＡに映った場合、認識部１１２は、映像ＩｍＡにおいて人物Ｈ２が映っている領域を、認識領域Ｚ２として認識する。また、認識部１１２は、人物Ｈ３が映像ＩｍＢに映った場合、認識部１１２は、映像ＩｍＢにおいて人物Ｈ３が映っている領域を、認識領域Ｚ３として認識する。
【００６４】
また、認識部１１２は、映像ＩｍＡおよび映像ＩｍＢそれぞれに人物が映った場合、その人物の位置を認識することが可能である。例えば、図５に示したように、認識部１１２は、認識領域Ｚ１における所定の位置を認識位置Ｐ１として認識する。同様に、認識部１１２は、認識領域Ｚ２における所定の位置を認識位置Ｐ２として認識する。また、認識部１１２は、認識領域Ｚ３における所定の位置を認識位置Ｐ３として認識する。
【００６５】
図５に示した例では、認識領域Ｚ１〜Ｚ３は、人物Ｈ１〜Ｈ３の頭頂部から膝下までが収まる程度の範囲を垂直方向における範囲とし、人物Ｈ１〜Ｈ３の両肩が収まる程度の範囲を水平方向における範囲とする矩形によって示されているが、認識領域Ｚ１〜Ｚ３の形状やサイズは特に限定されない。また、図５に示した例では、認識位置Ｐ１〜Ｐ３は、認識領域Ｚ１〜Ｚ３に映る人物Ｈ１〜Ｈ３の両肩の中点に相当しているが、認識位置Ｐ１〜Ｐ３それぞれは限定されない。
【００６６】
また、認識部１１２による物体認識の手法は特に限定されない。例えば、認識部１１２は、認識対象の物体の特徴量があらかじめ登録されている場合、映像取得部１１１によって取得された映像から特徴量を抽出し、抽出した特徴量とあらかじめ登録されている物体の特徴量との間で照合を行い、照合の結果として得られる類似度合いが所定の値を超えた場合に、映像にその物体が映っていると認識してよい。
【００６７】
このようにして得られた認識結果に基づいて、計測部１１６は、基準線ＬｎＡおよび基準線ＬｎＢそれぞれを通過した人物の数を各通過人数として計測する。続いて、合算部１１７は、計測部１１６によって計測された各通過人数を合算する。計測部１１６は、例えば、追跡部１１４が人物の認識位置を追跡して追跡結果を得た場合、追跡結果に基づいて人物が基準線を通過したか否かを判定することができる。
【００６８】
例えば、図７に示すように、追跡部１１４は、人物Ｈ１の時刻ｔ−ａ１における認識位置Ｐ１が、基準線ＬｎＡによって分割される一方の領域内の位置Ｐ１（ｔ−ａ１）であり、人物Ｈ１の時刻ｔにおける認識位置Ｐ１が、基準線ＬｎＡの他方の領域内の位置Ｐ１（ｔ）であることを把握したとする。ａ１の値は特に限定されない。かかる場合、計測部１１６は、人物Ｈ１が基準線ＬｎＡを通過したと判定し、基準線ＬｎＡの通過人数をカウントアップしてよい。
【００６９】
また、例えば、図７に示すように、追跡部１１４は、人物Ｈ２の時刻ｔ−ａ２における認識位置Ｐ２が、基準線ＬｎＡによって分割される一方の領域内の位置Ｐ２（ｔ−ａ２）であり、人物Ｈ２の時刻ｔにおける認識位置Ｐ２が、基準線ＬｎＡの他方の領域内の位置Ｐ２（ｔ）であることを把握したとする。ａ２の値は特に限定されない。かかる場合、計測部１１６は、人物Ｈ２が基準線ＬｎＡを通過したと判定し、基準線ＬｎＡの通過人数をカウントアップしてよい。
【００７０】
さらに、例えば、図７に示すように、追跡部１１４は、人物Ｈ３の時刻ｔ−ａ３における認識位置Ｐ３が、基準線ＬｎＢによって分割される一方の領域内の位置Ｐ３（ｔ−ａ３）であり、人物Ｈ３の時刻ｔにおける認識位置Ｐ３が、基準線ＬｎＢの他方の領域内の位置Ｐ３（ｔ）であることを把握したとする。ａ３の値は特に限定されない。かかる場合、計測部１１６は、人物Ｈ３が基準線ＬｎＢを通過したと判定し、基準線ＬｎＢの通過人数をカウントアップしてよい。
【００７１】
合算部１１７は、このようにして計測部１１６によって基準線ごとに計測された通過人数を合算すればよい。合算部１１７による合算のタイミングは特に限定されない。例えば、合算部１１７による合算は、所定の時間ごとになされてもよいし、端末装置３０に対してユーザから合算を命令する操作が入力されたときになされてもよいし、通過人数がカウントアップされるたびになされてもよい。
【００７２】
以上、複数の撮像装置２０それぞれによって撮像された映像に設定された基準線の通過人数を計測する手法の例として、第１の例を説明した。
【００７３】
一般的な映像解析装置と本発明の実施形態に係る映像解析装置１０とは以下の点において主に異なる。すなわち、一般的な映像解析装置を用いた場合のように、仮に１台の撮像装置２０によって撮像された映像から人物を検出するとした場合には、映像に映る人物の鮮明度をある程度確保する必要があるため、撮像範囲を制限するのが一般的である。
【００７４】
しかし、計測地点を撮像範囲に収めるためには、計測地点からある程度離れた位置に撮像装置２０を設置する必要がある。一方、計測地点から撮像装置２０が離れすぎてしまうと画像に映る人物が小さくなってしまい、画像から移動体を検出するのが困難になる可能性もある。
【００７５】
本発明の実施形態においては、映像解析装置１０は、複数の撮像装置２０それぞれによって撮像された映像を映像群として取得する映像取得部１１１と、映像群それぞれに設定された基準線を通過した人物の数を各通過人数として計測する計測部１１６と、各通過人数を合算する合算部１１７と、を備える。
【００７６】
かかる構成によれば、計測地点を複数の撮像装置２０によって分担して撮像することが可能であるため、計測地点に近い位置から撮像したとしても計測地点を撮像範囲に収めることが可能となる。したがって、計測精度を向上させることが可能となる。
【００７７】
図８は、撮像装置２０Ａおよび撮像装置２０Ｂそれぞれによって撮像された映像に設定された基準線の通過人数を計測する手法の第２の例を示す図である。図７を参照しながら説明した第１の例においては、人物が基準線を通過した場合、人物の移動方向を特に区別せずに通過人数をカウントアップする例を示した。
【００７８】
第２の例においては、計測部１１６が追跡結果に基づいて人物の移動方向を判定し、移動方向が所定方向の場合における各通過人数を計測し、合算部１１７が、移動方向が所定方向の場合における各通過人数を合算する例を説明する。特に、第２の例においては、手前方向を所定方向とする例を説明するが、何れの方向を所定方向とするかは特に限定されない。
【００７９】
例えば、図８に示すように、追跡部１１４は、人物Ｈ１の時刻ｔ−ａ１における認識位置Ｐ１が、基準線ＬｎＡによって分割される下側の領域内の位置Ｐ１（ｔ−ａ１）であり、人物Ｈ１の時刻ｔにおける認識位置Ｐ１が、基準線ＬｎＡの上側の領域内の位置Ｐ１（ｔ）であることを把握したとする。かかる場合、計測部１１６は、人物Ｈ１が奥行方向に基準線ＬｎＡを通過したと判定し、基準線ＬｎＡの手前方向の通過人数をカウントアップしなくてよい。
【００８０】
また、例えば、図８に示すように、追跡部１１４は、人物Ｈ２の時刻ｔ−ａ２における認識位置Ｐ２が、基準線ＬｎＡによって分割される上側の領域内の位置Ｐ２（ｔ−ａ２）であり、人物Ｈ２の時刻ｔにおける認識位置Ｐ２が、基準線ＬｎＡの下側の領域内の位置Ｐ２（ｔ）であることを把握したとする。かかる場合、計測部１１６は、人物Ｈ２が手前方向に基準線ＬｎＡを通過したと判定し、基準線ＬｎＡの手前方向の通過人数をカウントアップすればよい。
【００８１】
さらに、例えば、図８に示すように、追跡部１１４は、人物Ｈ３の時刻ｔ−ａ３における認識位置Ｐ３が、基準線ＬｎＢによって分割される上側の領域内の位置Ｐ３（ｔ−ａ３）であり、人物Ｈ３の時刻ｔにおける認識位置Ｐ３が、基準線ＬｎＢの下側の領域内の位置Ｐ３（ｔ）であることを把握したとする。かかる場合、計測部１１６は、人物Ｈ３が手前方向に基準線ＬｎＢを通過したと判定し、基準線ＬｎＢの手前方向の通過人数をカウントアップすればよい。
【００８２】
合算部１１７は、このようにして計測部１１６によって基準線ごとに計測された手前方向の通過人数を合算すればよい。
【００８３】
以上、複数の撮像装置２０それぞれによって撮像された映像に設定された基準線の通過人数を計測する手法の例として、第２の例を説明した。
【００８４】
図９は、撮像装置２０Ａおよび撮像装置２０Ｂそれぞれによって撮像された映像に設定された基準線の通過人数を計測する手法の第３の例を示す図である。図８を参照しながら説明した第２の例においては、人物が基準線を通過した場合、人物の移動方向が所定方向の場合に通過人数をカウントアップする例を示した。
【００８５】
第３の例においては、計測部１１６が追跡結果に基づいて人物の移動方向を判定し、移動方向ごとに各通過人数を計測し、合算部１１７が、移動方向ごとに各通過人数を合算する例を説明する。特に、第３の例においては、移動方向を手前方向および奥行方向の２種類に分類する例を説明するが、移動方向の分類は、かかる例に限定されない。
【００８６】
例えば、図９に示すように、追跡部１１４は、人物Ｈ１の時刻ｔ−ａ１における認識位置Ｐ１が、基準線ＬｎＡによって分割される下側の領域内の位置Ｐ１（ｔ−ａ１）であり、人物Ｈ１の時刻ｔにおける認識位置Ｐ１が、基準線ＬｎＡの上側の領域内の位置Ｐ１（ｔ）であることを把握したとする。かかる場合、計測部１１６は、人物Ｈ１が奥行方向に基準線ＬｎＡを通過したと判定し、基準線ＬｎＡの奥行方向の通過人数をカウントアップすればよい。
【００８７】
また、例えば、図９に示すように、追跡部１１４は、人物Ｈ２の時刻ｔ−ａ２における認識位置Ｐ２が、基準線ＬｎＡによって分割される上側の領域内の位置Ｐ２（ｔ−ａ２）であり、人物Ｈ２の時刻ｔにおける認識位置Ｐ２が、基準線ＬｎＡの下側の領域内の位置Ｐ２（ｔ）であることを把握したとする。かかる場合、計測部１１６は、人物Ｈ２が手前方向に基準線ＬｎＡを通過したと判定し、基準線ＬｎＡの手前方向の通過人数をカウントアップすればよい。
【００８８】
さらに、例えば、図９に示すように、追跡部１１４は、人物Ｈ３の時刻ｔ−ａ３における認識位置Ｐ３が、基準線ＬｎＢによって分割される上側の領域内の位置Ｐ３（ｔ−ａ３）であり、人物Ｈ３の時刻ｔにおける認識位置Ｐ３が、基準線ＬｎＢの下側の領域内の位置Ｐ３（ｔ）であることを把握したとする。かかる場合、計測部１１６は、人物Ｈ３が手前方向に基準線ＬｎＢを通過したと判定し、基準線ＬｎＢの手前方向の通過人数をカウントアップすればよい。
【００８９】
合算部１１７は、このようにして計測部１１６によって移動方向ごとに計測された通過人数を合算すればよい。
【００９０】
以上、複数の撮像装置２０それぞれによって撮像された映像に設定された基準線の通過人数を計測する手法の例として、第３の例を説明した。
【００９１】
図１０は、撮像装置２０Ａおよび撮像装置２０Ｂそれぞれによって撮像された映像に設定された基準線の通過人数を計測する手法の第４の例を示す図である。図９を参照しながら説明した第３の例においては、人物が基準線を通過した場合、人物の移動方向ごとに通過人数をカウントアップする例を示した。
【００９２】
しかし、人物の認識位置Ｐとして認識領域Ｚのどの位置を採用するかによって、基準線を通過したと判定するタイミングは異なり得る。そのため、基準線を通過した人物であっても、実際にはまだ計測対象とはしたくない場合も存在し得る。第４の例においては、計測部１１６が、人物が基準線を通過したと判定した場合、人物の映像におけるサイズに基づいて人物を計測対象とすべきか否かを判定する例を説明する。
【００９３】
例えば、図１０に示すように、追跡部１１４は、人物Ｈ１の時刻ｔ−ａ１における認識位置Ｐ１が、基準線ＬｎＡによって分割される下側の領域内の位置Ｐ１（ｔ−ａ１）であり、人物Ｈ１の時刻ｔにおける認識位置Ｐ１が、基準線ＬｎＡの上側の領域内の位置Ｐ１（ｔ）であることを把握したとする。かかる場合、計測部１１６は、人物Ｈ１が奥行方向に基準線ＬｎＡを通過したと判定する。
【００９４】
ここで、時刻ｔにおける認識領域Ｚ１は認識領域Ｚ１（ｔ）として示されている。例えば、図１０に示したように、追跡部１１４は、認識領域Ｚ１（ｔ）のサイズが閾値Ｔｓを下回っている場合に、基準線ＬｎＡの奥行方向の通過人数をカウントアップすればよい。一方、認識領域Ｚ１（ｔ）のサイズが閾値Ｔｓを下回っていない場合には、基準線ＬｎＡの奥行方向の通過人数をまだカウントアップしなくてよい。
【００９５】
認識領域Ｚ１（ｔ）のサイズは、認識領域Ｚ１（ｔ）を形成する矩形の縦の長さであってもよいし、横の長さであってもよいし、他の長さであってもよい。また、例えば、閾値Ｔｓは、奥行方向の通過人数をカウントするための閾値としてあらかじめ決められていてよい。
【００９６】
また、例えば、図１０に示すように、追跡部１１４は、人物Ｈ２の時刻ｔ−ａ２における認識位置Ｐ２が、基準線ＬｎＡによって分割される上側の領域内の位置Ｐ２（ｔ−ａ２）であり、人物Ｈ２の時刻ｔにおける認識位置Ｐ２が、基準線ＬｎＡの下側の領域内の位置Ｐ２（ｔ）であることを把握したとする。かかる場合、計測部１１６は、人物Ｈ２が手前方向に基準線ＬｎＡを通過したと判定する。
【００９７】
ここで、時刻ｔにおける認識領域Ｚ２は認識領域Ｚ２（ｔ）として示されている。例えば、図１０に示したように、追跡部１１４は、認識領域Ｚ２（ｔ）のサイズが閾値Ｔｇを上回っている場合に、基準線ＬｎＡの手前方向の通過人数をカウントアップすればよい。一方、認識領域Ｚ２（ｔ）のサイズが閾値Ｔｇを上回っていない場合には、基準線ＬｎＡの手前方向の通過人数をまだカウントアップしなくてよい。
【００９８】
認識領域Ｚ２（ｔ）のサイズは、認識領域Ｚ２（ｔ）を形成する矩形の縦の長さであってもよいし、横の長さであってもよいし、他の長さであってもよい。また、例えば、閾値Ｔｇは、手前方向の通過人数をカウントするための閾値としてあらかじめ決められていてよい。
【００９９】
さらに、例えば、図１０に示すように、追跡部１１４は、人物Ｈ３の時刻ｔ−ａ３における認識位置Ｐ３が、基準線ＬｎＢによって分割される上側の領域内の位置Ｐ３（ｔ−ａ３）であり、人物Ｈ３の時刻ｔにおける認識位置Ｐ３が、基準線ＬｎＢの下側の領域内の位置Ｐ３（ｔ）であることを把握したとする。かかる場合、計測部１１６は、人物Ｈ３が手前方向に基準線ＬｎＢを通過したと判定する。
【０１００】
ここで、時刻ｔにおける認識領域Ｚ３は認識領域Ｚ３（ｔ）として示されている。例えば、図１０に示したように、追跡部１１４は、認識領域Ｚ３（ｔ）のサイズが閾値Ｔｇを上回っている場合に、基準線ＬｎＢの手前方向の通過人数をカウントアップすればよい。一方、認識領域Ｚ３（ｔ）のサイズが閾値Ｔｇを上回っていない場合には、基準線ＬｎＢの手前方向の通過人数をまだカウントアップしなくてよい。
【０１０１】
認識領域Ｚ３（ｔ）のサイズは、認識領域Ｚ３（ｔ）を形成する矩形の縦の長さであってもよいし、横の長さであってもよいし、他の長さであってもよい。
【０１０２】
合算部１１７は、このようにして計測部１１６によって移動方向ごとに計測された通過人数を合算すればよい。
【０１０３】
以上、複数の撮像装置２０それぞれによって撮像された映像に設定された基準線の通過人数を計測する手法の例として、第４の例を説明した。
【０１０４】
図１１は、撮像装置２０Ａおよび撮像装置２０Ｂそれぞれによって撮像された映像に設定された基準線の通過人数を計測する手法の第５の例を示す図である。第５の例においては、属性抽出部１１５が、人物が認識された映像が存在した場合、映像を解析して人物の属性を抽出し、計測部１１６が、属性ごとに各通過人数を計測し、合算部１１７は、属性ごとに各通過人数を合算する例を説明する。
【０１０５】
ここで、属性は特に限定されないが、例えば、年齢であってもよいし、性別であってもよいし、他の属性であってもよいし、それらの属性の二以上の組み合わせであってもよい。例えば、属性抽出部１１５は、映像から人物の顔領域を認識し、人物の顔領域から属性を抽出すればよい。あるいは、属性抽出部１１５は、映像から人物の身体における他の領域を認識し、当該他の領域から属性を抽出してもよい。
【０１０６】
例えば、図７に示すように、追跡部１１４は、人物Ｈ１の時刻ｔ−ａ１における認識位置Ｐ１が、基準線ＬｎＡによって分割される一方の領域内の位置Ｐ１（ｔ−ａ１）であり、人物Ｈ１の時刻ｔにおける認識位置Ｐ１が、基準線ＬｎＡの他方の領域内の位置Ｐ１（ｔ）であることを把握したとする。かかる場合、計測部１１６は、人物Ｈ１が基準線ＬｎＡを通過したと判定する。
【０１０７】
続いて、属性抽出部１１５は、人物Ｈ１の属性を抽出する。図１１に示した例では、属性抽出部１１５は、映像ＩｍＡから人物Ｈ１の属性として、年齢「２０代」および性別「女性」を抽出している。計測部１１６は、基準線ＬｎＡの当該属性の通過人数をカウントアップする。
【０１０８】
同様に、属性抽出部１１５は、人物Ｈ２の属性を抽出する。図１１に示した例では、属性抽出部１１５は、映像ＩｍＡから人物Ｈ２の属性として、年齢「４０代」および性別「男性」を抽出している。計測部１１６は、基準線ＬｎＡの当該属性の通過人数をカウントアップする。
【０１０９】
同様に、属性抽出部１１５は、人物Ｈ３の属性を抽出する。図１１に示した例では、属性抽出部１１５は、映像ＩｍＢから人物Ｈ３の属性として、年齢「３０代」および性別「女性」を抽出している。計測部１１６は、基準線ＬｎＢの当該属性の通過人数をカウントアップする。
【０１１０】
合算部１１７は、このようにして計測部１１６によって属性ごとに計測された通過人数を合算すればよい。
【０１１１】
以上、複数の撮像装置２０それぞれによって撮像された映像に設定された基準線の通過人数を計測する手法の例として、第５の例を説明した。
【０１１２】
［動作の説明］
続いて、本発明の実施形態に係る映像解析装置１０の動作の流れの例を説明する。図１２は、本発明の実施形態に係る映像解析装置１０の動作の流れの例を示すフローチャートである。なお、図１２に示した動作の流れの例は、映像解析装置１０の動作の流れの例に過ぎないため、映像解析装置１０の動作は、図１２に示した例に限定されないことは言うまでもない。
【０１１３】
まず、映像取得部１１１は、複数の撮像装置２０それぞれによって撮像された映像に基準線を設定する（ステップＳ１）。映像取得部１１１は、複数の撮像装置２０それぞれによって撮像された映像群を取得し（ステップＳ２）、認識部１１２は、映像から人物の認識を試みる。人物が認識された映像が存在しない場合（ステップＳ３で「Ｎｏ」）、ステップＳ２に動作が移行されるが、追跡部１１４は、人物が認識された映像が存在した場合（ステップＳ３で「Ｙｅｓ」）、認識された人物を追跡する（ステップＳ４）。
【０１１４】
属性抽出部１１５は、人物が基準線を通過した場合には（ステップＳ５で「Ｙｅｓ」）、人物の属性を抽出し、計測部１１６は、その基準線の当該属性の通過人数をカウントアップして（ステップＳ７）、ステップＳ８に動作が移行される。一方、人物が基準線を通過していない場合には（ステップＳ５で「Ｎｏ」）、ステップＳ２に動作が移行される。
【０１１５】
各通過人数を合算しない場合には（ステップＳ８で「Ｎｏ」）、ステップＳ２に動作が移行されるが、合算部１１７は、通過人数を合算する場合には（ステップＳ８で「Ｙｅｓ」）、属性ごとに通過人数を合算して（ステップＳ９）、動作を終了する。上記したように、合算部１１７による合算のタイミングは特に限定されない。
【０１１６】
以上、本発明の実施形態に係る映像解析装置１０の動作の流れの例について説明した。
【０１１７】
［効果の説明］
以上に説明したように、本発明の実施形態によれば、複数の撮像装置２０それぞれによって撮像された映像を映像群として取得する映像取得部１１１と、映像群それぞれに設定された基準線を通過した所定の移動体の数を各通過数として計測する計測部１１６と、各通過数を合算する合算部１１７と、を備える、映像解析装置１０が提供される。かかる構成によれば、所定の計測地点を通過した人物の数を撮像装置によって撮像された画像に基づいて計測する場合において計測精度をさらに向上させることが可能である。
【０１１８】
本発明の実施形態においては、計測対象が人物である場合を主に説明したが、上記したように、例えば、計測対象は移動体であればよい。したがって、上記した実施形態において、人物を他の移動体（例えば、乗り物など）に置き換えることによって、映像解析システム１は、同様の機能を発揮することが可能である。
【０１１９】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２０】
例えば、本発明の実施形態においては、複数の撮像装置２０は一列に並べられて設置されている場合を想定している。しかし、本発明の実施形態に係る映像解析システム１は、複数の撮像装置２０それぞれが計測エリアから等距離の位置に設置されている場合に限定されない。さらに、複数の撮像装置２０それぞれの画角は同一に設定されていない場合であってもよい。
【０１２１】
図１３は、本発明の実施形態の変形例に係る映像解析システム１の構成例を示す図である。図１３に示すように、撮像装置２０Ａが設置されていた位置よりも計測エリアから遠い位置に撮像装置２０Ｃが設けられてもよい。また、図１３に示すように、撮像装置２０Ａの画角よりも撮像装置２０Ｃの画角が狭く設定されていてもよい。かかる場合であっても、映像解析システム１は、上記した本開示の実施形態における撮像装置２０Ａを撮像装置２０Ｃに置き換えることによって、同様に機能することが可能である。
【０１２２】
制御部１１０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部１３０により記憶されているプログラムがＣＰＵによりＲＡＭに展開されて実行されることにより、その機能が実現され得る。あるいは、制御部１１０を構成する各ブロックは、専用のハードウェアにより構成されていてもよいし、複数のハードウェアの組み合わせにより構成されてもよい。
【０１２３】
制御部３１０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部３４０により記憶されているプログラムがＣＰＵによりＲＡＭに展開されて実行されることにより、その機能が実現され得る。あるいは、制御部３１０を構成する各ブロックは、専用のハードウェアにより構成されていてもよいし、複数のハードウェアの組み合わせにより構成されてもよい。
【０１２４】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１２５】
１      映像解析システム
１０    映像解析装置
２０（２０Ａ、２０Ｂ、２０Ｃ）  撮像装置
３０    端末装置
１１０  制御部
１１１  映像取得部
１１２  認識部
１１３  設定部
１１４  追跡部
１１５  属性抽出部
１１６  計測部
１１７  合算部
１２０（１２０Ａ、１２０Ｂ）  入力部
１３０  記憶部
１４０  通信部
３１０  制御部
３２０  入力部
３３０  通信部
３４０  記憶部
３５０  出力部
Ｈ（Ｈ１、Ｈ２、Ｈ３）  人物
Ｉｍ（ＩｍＡ、ＩｍＢ）  映像
Ｌｎ（ＬｎＡ、ＬｎＢ）  基準線
Ｍ      マーカ（所定のオブジェクト）
Ｐ（Ｐ１、Ｐ２、Ｐ３）  認識位置
Ｚ（Ｚ１、Ｚ２、Ｚ３）  認識領域
【図１】
2014191711.tif 000003
【図２】
2014191711.tif 000004
【図３】
2014191711.tif 000005
【図４】
2014191711.tif 000006
【図５】
2014191711.tif 000007
【図６】
2014191711.tif 000008
【図７】
2014191711.tif 000009
【図８】
2014191711.tif 000010
【図９】
2014191711.tif 000011
【図１０】
2014191711.tif 000012
【図１１】
2014191711.tif 000013
【図１２】
2014191711.tif 000014
【図１３】
2014191711.tif 000015